(57)【要約】【課題】矢板鋼板０１で擁壁を形成した既存用水路の補修工法で、施工性を高める。【解決手段】矢板鋼板０１の水路側の前方位置を掘削し、掘削箇所に蛇籠１を敷設すると共に、下方前面に下向きの傾斜脚部４２を突設した細幅コンクリートパネル４を、前記掘削箇所の蛇籠背面の水路底面に打ち込んで、前記傾斜脚部４２が前記蛇籠１上に位置するようにして、矢板鋼板０１の前面に自立する擁壁面を形成し、前記擁壁面と矢板鋼板の間隙に、適宜な充填材９で満たしてなる。【選択図】図５
2014169596.tif 000002
【特許請求の範囲】
【請求項１】
矢板鋼板で擁壁を形成した既存用水路の補修工法であって、矢板鋼板の水路側の前方位置に、下方前面に下向きの傾斜脚部を突設した細幅コンクリートパネルを水路底面に打ち込んで矢板鋼板前面に自立する擁壁面を形成し、前記擁壁面と矢板鋼板の間隙を、適宜な充填材で満たしてなることを特徴とする既存用水路の補修工法。
【請求項２】
矢板鋼板の水路側の前方位置を掘削し、掘削箇所に蛇籠を敷設すると共に、傾斜脚部が前記蛇籠上に位置するようにコンクリートパネルを打ち込んでなる請求項１記載の既存用水路の補修工法。
【請求項３】
矢板鋼板の所定高さに受け部を突設し、起立したコンクリートパネル頂面と前記受け部とを連繋杆で連結してなる請求項１又は２記載の既存用水路の補修工法。
【請求項４】
矢板鋼板の適宜箇所にアンカー部材を突設してセメント系充填材を採用してなる請求項１乃至３記載の何れかの既存用水路の補修工法。
【請求項５】
コンクリートパネルと矢板鋼板の間に形成される空間に、軽量発泡樹脂体を主体とする充填体を内装してなる請求項４記載の既存用水路の補修工法。
【発明の詳細な説明】
【技術分野】
【０００１】
本発明は、矢板鋼板で擁壁を形成した既存用水路の補修工法に関するものである。
【背景技術】
【０００２】
矢板鋼板を両岸に打ち込んで擁壁とし、矢板鋼板の上端に笠木コンクリートを打設して形成した構造の用水路が知られている。これらの用水路は特に経年変化によって矢板鋼板部分が腐食して補修が必要となる。
【０００３】
特許文献１（特開２００２−１２９５３７号公報）には、笠木部分と共に矢板鋼板の上方部部分を除去し、下方矢板鋼板内側に添って、新たなコンクリート矢板による擁壁を構築する工法が開示されている。
【０００４】
また特許文献２（特開２０１２−１８０７２８号公報）には、ダメージを受けている矢板鋼板の箇所に対応して、予め工場で所定形状の鋼板を形成し、破損個所を当該鋼板で被覆して補修する手法が開示されている。
【先行技術文献】
【特許文献】
【０００５】
【特許文献１】特開２００２−１２９５３７号公報。
【特許文献２】特開２０１２−１８０７２８号公報。
【発明の概要】
【発明が解決しようとする課題】
【０００６】
矢板鋼板を擁壁に使用した用水路の老朽化対策とし、特許文献１記載のようなコンクリート矢板に置き換える手段は、新規な用水路の構築作業と同様な作業が要求されるものであり、相応の費用を要するものである。またコンクリート矢板自体で水路両岸から受ける背圧に対応するためには、矢板自体に相応の自重と強度が要求され、且つ水路側への倒伏を防止するために、コンクリート矢板の下方水路側に大きな支持部を突設し、切梁も新設する必要がある。
【０００７】
このように矢板鋼板の老朽化対策として、矢板鋼板の上部を除去してコンクリート矢板を構築する手段を採用した場合には、コンクリート矢板の自重によって作業性が劣り、且つコスト高となってしまう。
【０００８】
既存矢板鋼板は、用水路の水流との接触で腐食が進行しているが、補修前において水路が確保されていることは、当該既存矢板鋼板で用水路両岸からの土圧に耐えているもので、鋼板の一部や表面部分が腐食しているに過ぎない。緊急的には特許文献２記載のように損傷個所のみを鋼板で被覆することでも対応できるが、当必要箇所を補修したとしても、残余の未補修箇所の老朽化は直ぐに表れるので、現実的な補修手段とは言えない。
【０００９】
そこで本発明は、軽量ですむコンクリート矢板を使用する新規な既存用水路の補修工法を提案したものである。
【課題を解決するための手段】
【００１０】
本発明に係る既存用水路の補修工法は、矢板鋼板で擁壁を形成した既存用水路の補修工法であって、矢板鋼板の水路側の前方位置に、下方前面に下向きの傾斜脚部を突設した細幅コンクリートパネルを水路底面に打ち込んで矢板鋼板前面に自立する擁壁面を形成し、前記擁壁面と矢板鋼板の間隙を、適宜な充填材で満たしてなることを特徴とするものである。
【００１１】
而してコンクリートパネルで既存矢板鋼板の前に新規な擁壁が構築される。前記擁壁は用水路底面に適宜深さ打ち込むことで自立させてなり、既存矢板鋼板（水流に接していない部分は腐食しておらず、補修時においても充分に土圧に耐えている）と共に、用水路両岸の土圧を負担することになり、コンクリートパネル自体に重量を求める必要が無く、容易な構築作業でコンクリート擁壁を構築できるものである。
【００１２】
また、本発明（請求項２）に係る既存用水路の補修工法は、矢板鋼板の水路側の前方位置を掘削し、掘削箇所に蛇籠を敷設すると共に、傾斜脚部が前記蛇籠上に位置するようにコンクリートパネルを打ち込んでなるもので、蛇籠で傾斜脚部を支持することになり、コンクリートパネルの沈下や用水路中央方向への倒れ込みが防止される。
【００１３】
本発明（請求項３）に係る既存用水路の補修工法は、矢板鋼板の所定高さに受け部を突設し、起立したコンクリートパネル頂面と前記受け部とを連繋杆で連結してなるもので、コンクリート擁壁の上部が既存矢板鋼板と連結されて、コンクリートパネルの用水路中央方向への倒れ込みが防止される。
【００１４】
本発明（請求項４）に係る既存用水路の補修工法は、矢板鋼板の適宜箇所にアンカー部材を突設してセメント系充填材を採用してなるもので、コンクリート擁壁と既存矢板鋼鈑が充填材の硬化によって一体化され、堅牢な補修擁壁が構築されることになる。
【００１５】
また本発明（請求項５）に係る既存用水路の補修工法は、特に前記のセメント系充填材を採用した際に、コンクリートパネルと矢板鋼板の間に形成される空間に、軽量発泡樹脂体を主体とする充填体を内装してなるもので、凹凸面が連続する矢板鋼板と擁壁板との間隙空間において、矢板鋼板の凹部面に充填体を内装することで、充填材の量を少なくすることができる。
【発明の効果】
【００１６】
本発明は上記のとおりで、軽量のコンクリートパネルを自立させて、既存矢板鋼板と共に用水路両岸の土圧を負担するコンクリート擁壁を構築して既存用水路の補修を行ったもので、経年変化に十分に対応できる用水路の補修を効率良くできたものとである。
【図面の簡単な説明】
【００１７】
【図１】本発明方法の実施形態を示す使用部材の説明図。
【図２】同工程説明図（施工前）。
【図３】同図（パネル打ち込み前）。
【図４】同図（パネル打ち込み時）。
【図５】同図（完成時）。
【発明を実施するための形態】
【００１８】
次に本発明の実施形態について、その施工順に説明する。補修対象の既存の用水路は、矢板鋼鈑０１を地盤（用水路底面）０２に打ち込んで両岸からの背圧を受け止めて水路０３を確保し、前記矢板鋼板０１の上縁に笠木部０４を設けて用水路を構築している（図２）。
【００１９】
前記の用水路の補修は、最初に矢板鋼鈑０１の直前部分の用水路底面０２を掘削し、掘削箇所Ａの用水路中心側に蛇籠１を敷設する（図３）。
【００２０】
更に矢板鋼板０１の内壁面の所望箇所には、アンカー部材２を溶接やネジ止め等適宜な手段で固定し、構築しようとする擁壁の頂部高さに対応する箇所に、受け部３を突設する。前記受け部３は、Ｌ鉤状で、縦板部を矢板鋼板０１に固定し、横板部に連結孔３１を設けたものである。
【００２１】
次にコンクリートパネル４の建て込みと、充填体５の設置を行うもので、コンクリートパネル４は、人力で容易に取り扱うことのできる細幅とし、側縁部４１は、隣接パネルと重なり合って隙間なく連なって立て込まれるように段差形状となっており、下方前面に下向きの傾斜脚部４２を設けてなり、下縁部４３は徐々に薄く形成してなるものである。
【００２２】
また充填体５は、軽量発泡樹脂体を主体とした心材の外周面を金属網で被覆したもので、コンクリートパネル４を、傾斜脚部４２が蛇籠１で支持されるように用水路底面０２へ打ち込み、打ち込んだコンクリートパネル４の背後空間Ｂに充填体５を設置するものである。尚掘削箇所Ａの底面や傾斜脚部４２の上面には、適宜砕石６を敷設する（図４）。
【００２３】
コンクリートパネル４が打ち込まれ、起立状態の連続面が形成されると、下方開口コの字状断面を備えた長尺の頂部冶具７を、隣接するコンクリートパネル４の頂部に嵌合装着し、更にカスガイ上の連繋杆８の一端を、受け部３の連結孔３１に装着し、他端を前記頂部冶具７に掛け止めする。
【００２４】
そしてコンクリートパネル４の背後空間にモルタル等のセメント系充填材９を打設し、充填材９の硬化で矢板鋼板０１とコンクリートパネル４が一体となり、コンクリートパネル４を表面とした補修擁壁が構築されるものである（図５）。
【００２５】
前記の補修擁壁は、コンクリートパネル４が型枠となり、既存の矢板鋼板０１を何ら取り除く必要が無く、しかもコンクリートパネル４が自立し、既存矢板鋼板０１でも用水路両岸の土圧を負担することになるため、コンクリートパネル自体に重量を求める必要が無く、コンクリート護岸を備えた補修用水路を簡単な作業で構築できたものである。
【符号の説明】
【００２６】
１      蛇籠
２      アンカー部材
３      受け部
３１    連結孔
４      コンクリートパネル
４１    側縁部
４２    傾斜脚部
４３    下縁部
５      充填体
６      砕石
７      頂部冶具
８      連繋杆
９      セメント系充填材
０１    矢板鋼鈑
０２    地盤（用水路底面）
０３    水路
０４    笠木部
【図１】
2014169596.tif 000003
【図２】
2014169596.tif 000004
【図３】
2014169596.tif 000005
【図４】
2014169596.tif 000006
【図５】
2014169596.tif 000007